(57)【要約】【課題】商店等に商品を陳列する際に使用する簡易組立て棚であり、運搬又は保管をする際には薄型の展開形状にすることができ、組み立ての際には両側板を前方に垂直に起こす動作によって複数の棚も起こされるという非常に簡易な操作で組み立てることができる簡易組立て棚を提供する。【解決手段】背面部材と、該背面部材の左右両側に縦方向の折曲線を介して前方へ折り曲げ自在に連結した左右対称形状の側面部材と、背面部材の高さ方向に所定間隔をあけて水平状に取り付けた複数の棚部材とから構成され、背面部材と左右の側面部材とを平状に展開すると共に、各棚部材の両側の突出係止片を左右の側面部材の水平切込線から内方へ係止した状態に保ち、左右の側面部材を立てた状態で前方へ垂直方向に起こす際に、各棚部材が自重で前傾すると共に、各棚部材の両側の突出係止片が左右の側面部材の水平切込線に係止されるようにした。【選択図】図１０
2013172949.tif 000002
【特許請求の範囲】
【請求項１】
背面部材と、該背面部材の左右両側に縦方向の折曲線を介して前方へ折り曲げ自在に連結した左右対称形状の側面部材と、背面部材の高さ方向に所定間隔をあけて水平状に取り付けた複数の棚部材とから構成され、
左右の側面部材は薄厚の幅部を介して折り曲げ形成した外側面と内側面とを備え、各側面部材の内側面に水平切込線と円弧形切込線とを連続形成した円弧形切込面を形成すると共に、水平切込線と円弧形切込線との間に縦方向に形成された折曲線は、円弧形切込面の端部に形成された縦方向の折曲線よりも外端部に接近する位置で形成され、
各棚部材は、背面部材への取付け箇所にて前屈方向へ折り曲げ自在に形成され、各棚部材の左右の両辺から下方へ折り曲げてなる係止片と各係止片の後端に形成された突出係止片とを有し、
背面部材と左右の側面部材とを平状に展開すると共に、各棚部材の両側の突出係止片を左右の側面部材の水平切込線から内方へ係止した状態に保ち、左右の側面部材を立てた状態で前方へ垂直方向に起こす際に、各棚部材が自重で前傾すると共に、各棚部材の両側の突出係止片が左右の側面部材の水平切込線に係止されるようにしたことを特徴とする簡易組立て棚。
【請求項２】
各棚部材は互いに合致される矩形形状の上側底面と下側底面とが折曲線を介して形成されると共に、該折曲線の内方にて下側底面に差込片が形成され、
該差込片が背面部材の高さ方向に所定間隔をあけて水平状に形成された切込線に差し込まれて固定される一方、
各棚部材の上側底面の前側端部には前側立上片が形成されると共に、上側底面の左右の辺に沿って前側立上片に連結した側部立上片が形成され、
さらに左右の側部立上片と前側立上片とは平状に折り曲げ自在に形成されると共に、下側底面の両側に下方へ折り曲げてなる係止片と該係止片の後端に形成された突出係止片とが形成されたことを特徴とする請求項１記載の簡易組立て棚。
【請求項３】
両側の側部立上片の前端側に四角形状の突出片が形成され、各突出片を前側立上片の両端部に接着剤で接着した状態で、各側部立上片の前端付近に形成した傾斜状の折曲線で折り曲げた両側の側部立上片と前側立上片とを平状に潰すことができるようにしたことを特徴とする請求項１又は２記載の簡易組立て棚。
【請求項４】
前側立上片を上側底面の前端に対して平行な折曲線で二つ折りに形成すると共に、前側立上片の前端に折曲線を介して突出した折返片を形成し、両側の側部立上片の前端側に形成した四角形状の突出片を前側立上片の両端部に接着剤で接着し、前側立上片を二つ折りにした状態で両側の突出片の間に折返片を介在させるようにしたことを特徴とする請求項３記載の簡易組立て棚。
【発明の詳細な説明】
【技術分野】
【０００１】
本発明は、商店等に商品を陳列する際、運搬や保管にも便利な構造の棚を現場で簡単に組み立てることができるように構成した簡易組立て棚に関する。
【背景技術】
【０００２】
従来から、商店等に商品を陳列する際、商店に備え付けた棚に商品を陳列するほか、比較的軽量な商品を段ボール等で構成した小型の棚に陳列する場合がある。そのような段ボール製の棚は、展開形状で現場に搬送し、それを現場で組立てることにより、商品を陳列可能にすることが利便である。
【０００３】
ここで、従来の技術として、特許文献１に記載されている「吊下展示用紙容器」を参照する。この紙容器は、板紙素材を打ち抜いて製作されたブランク板を折り曲げて筒貼りする方法によって組み立てられる棚構造である。その構造は、前面板と一体的に形成された背面板を折曲げ線で折り曲げて前面板の背後に回し、背面板に設けられた係止片を棚部に設けられた切込に差し込む等の作業を経ることによって、高さ方向に複数の棚を形成可能としたものである。
【０００４】
ところが、このような従来の棚構造において、その展開形状を現場で組み立てるには、ある程度の熟練と手間とを必要とするものであり、そのような作業に不慣れな者が、現場で容易且つ迅速に組み立てることは困難である。
【０００５】
このような従来の棚構造を検討すると、簡易な構造によって構成され、しかも搬送時や保管時のスペースを考慮して平板状の薄型の展開形状とするのが望ましい。また、組み立て時においては、特に熟練を有しない者でも、簡単な作業によって迅速に組み立てることができる簡易な組み立て構造とするのが望ましい。
【先行技術文献】
【特許文献】
【０００６】
【特許文献１】特許第４４４７０８８号公報
【発明の概要】
【発明が解決しようとする課題】
【０００７】
本発明は、上記の事情に鑑みてなされたものであり、商店等に商品を陳列する際に使用する簡易組立て棚であり、運搬又は保管をする際には薄型の展開形状にすることができ、組み立ての際には両側の側面部材を前方に垂直に起こす動作によって複数の棚部材も起こされるという非常に簡易な操作で組み立て可能な簡易組立て棚を提供することを目的とする。
【課題を解決するための手段】
【０００８】
上記の課題を解決するために、本発明における請求項１の簡易組立て棚は、背面部材と、該背面部材の左右両側に縦方向の折曲線を介して前方へ折り曲げ自在に連結した左右対称形状の側面部材と、背面部材の高さ方向に所定間隔をあけて水平状に取り付けた複数の棚部材とから構成され、左右の側面部材は薄厚の幅部を介して折り曲げ形成した外側面と内側面とを備え、各側面部材の内側面に水平切込線と円弧形切込線とを連続形成した円弧形切込面を形成すると共に、水平切込線と円弧形切込線との間に縦方向に形成された折曲線は、円弧形切込面の端部に形成された縦方向の折曲線よりも外端部に接近する位置で形成され、各棚部材は、背面部材への取付け箇所にて前屈方向へ折り曲げ自在に形成され、各棚部材の左右の両辺から下方へ折り曲げてなる係止片と各係止片の後端に形成された突出係止片とを有し、背面部材と左右の側面部材とを平状に展開すると共に、各棚部材の両側の突出係止片を左右の側面部材の水平切込線から内方へ係止した状態に保ち、左右の側面部材を立てた状態で前方へ垂直方向に起こす際に、各棚部材が自重で前傾すると共に、各棚部材の両側の突出係止片が左右の側面部材の水平切込線に係止されるようにしたことを特徴とする。
【０００９】
また、本発明の請求項２の簡易組立て棚は、請求項１において、各棚部材は互いに合致される矩形形状の上側底面と下側底面とが折曲線を介して形成されると共に、該折曲線の内方にて下側底面に差込片が形成され、該差込片が背面部材の高さ方向に所定間隔をあけて水平状に形成された切込線に差し込まれて固定される一方、各棚部材の上側底面の前側端部には前側立上片が形成されると共に、上側底面の左右の辺に沿って前側立上片に連結した側部立上片が形成され、さらに左右の側部立上片と前側立上片とは平状に折り曲げ自在に形成されると共に、下側底面の両側に下方へ折り曲げてなる係止片と該係止片の後端に形成された突出係止片とが形成されたことを特徴とする。
【００１０】
また、本発明の請求項３の簡易組立て棚は、請求項１又は２において、両側の側部立上片の前端側に四角形状の突出片が形成され、各突出片を前側立上片の両端部に接着剤で接着した状態で、各側部立上片の前端付近に形成した傾斜状の折曲線で折り曲げた両側の側部立上片と前側立上片とを平状に潰すことができるようにしたことを特徴とする。
【００１１】
さらに、本発明の請求項４の簡易組立て棚は、請求項３において、前側立上片を上側底面の前端に対して平行な折曲線で二つ折りに形成すると共に、前側立上片の前端に折曲線を介して突出した折返片を形成し、両側の側部立上片の前端側に形成した四角形状の突出片を前側立上片の両端部に接着剤で接着し、前側立上片を二つ折りにした状態で両側の突出片の間に折返片を介在させるようにしたことを特徴とする。
【発明の効果】
【００１２】
本発明の簡易組立て棚によれば、運搬時や保管時には薄型の平状に展開することができるため、運搬や保管の際にかさばらず、狭いスペースに収めることが可能となる。また、本発明の簡易組立て棚を商店等の現場で組み立てる際には、左右の側面部材を立てた状態で前方へ垂直方向に起こす動作に応じて、左右の側面部材の間に設けられた各棚部材が自重で前傾し、このとき各棚部材を手作業で押し下げることによって各棚部材の両側の突出係止片が左右の側面部材の水平切込線に係止され、これによって簡易組立て棚のセットが完了する。
【００１３】
このため、本発明の簡易組立て棚によれば、上記のように道具を必要とすることなく、特に熟練した者でなくても、非常に簡単な作業で、迅速且つ簡単に組立作業を終えることが可能である。また、組立て後の簡易組立て棚を撤収する際にも、上記の作業を逆に行うだけで、もとの薄型で平状な展開形状に戻すことが可能である。
【００１４】
さらに、本発明の簡易組立て棚は、組立て後の構造が比較的頑丈に構成されるため、例えば、ガソリンスタンドに設置して、洗浄具のスポンジ等を陳列するほか、組立て後の各棚部材に様々な物品を置くことができ、広範囲な分野において利用することが可能である。
【図面の簡単な説明】
【００１５】
【図１】（ａ）は本発明の実施例１における簡易組立て棚の組立て後の正面図であり、(ｂ)は背面図である。
【図２】本発明の実施例１における背面部材と両側の側面部材の展開図である。
【図３】本発明の実施例１における背面部材と左側の側面部材の展開図である。
【図４】本発明の実施例１における背面部材に両側の側面部材を固定した展開図である。
【図５】（ａ）(ｂ)は図４のＡ−Ａ線断面図であり、(ｃ)(ｄ)は図４のＢ−Ｂ線断面図であり、（ａ）(ｃ)は展開状態を示し、(ｂ)(ｄ)は両側の側面部材を前方へ起こした状態を示す。
【図６】本発明の実施例１における棚部材の展開図である。
【図７】本発明の実施例１における棚部材の組立て後の斜視図である。
【図８】本発明の実施例１における背面部材に両側の側面部材を固定すると共に、背面部材に複数の棚部材を取り付けた状態を示す展開図である。
【図９】本発明の実施例１における簡易組立て棚の組立て後の部分斜視図である。
【図１０】本発明の実施例１における簡易組立て棚の組立て後の全体斜視図である。
【図１１】本発明の実施例２における棚部材の展開図である。
【図１２】（ａ）は本発明の実施例１における棚部材の要部拡大図であり、(ｂ)は実施例２における棚部材の要部拡大図である。
【図１３】（ａ）〜(ｄ)は、本発明の実施例２における棚部材の組立て工程を示す斜視図である。
【発明を実施するための形態】
【００１６】
以下、本発明の実施例について図面を参照しながら説明する。
【実施例１】
【００１７】
本実施例の簡易組立て棚１は、組立て後の正面図を図１（ａ）に示し、組立て後の背面図を図１(ｂ)に示すように、背面部材２の両側に側面部材３、３を備えた縦長の直方体をなす棚構造として形成されている。このような棚構造の基本構成としては、図８に示すように、背面部材２と、該背面部材２の両側に縦方向の折曲線６ａ、６ｂを介して前方へ折り曲げ自在に連結する左右の側面部材３、３と、背面部材２の高さ方向に所定間隔をあけて水平状に取り付ける複数の棚部材７を備えた構成とされている。
【００１８】
なお、本実施例では、一例として３段の棚部材７を有する棚構造について説明するが、他の段数に構成することも可能である。
【００１９】
また、図２に示すように、左右の側面部材３、３は対称的な形状により構成されているため、説明の便宜上、図３では、背面部材２と左側の側面部材３のみを図示することにより説明する。この図３において、側面部材３は段ボール等で縦長の長方形状に形成され、この側面部材３の全幅を中央で縦方向に仕切る箇所に、薄厚の幅部８を介して２本の折曲線４ａ、４ｂを形成すると共に、この幅部８を介して同形状の外側面９と内側面１０とを折り曲げ自在に形成した構成としている。
【００２０】
また、図３に示すように、側面部材３の両側の端部には互いに同幅の２本の折曲線５ａ、５ｂ、６ａ、６ｂが形成されている。このうち、外側面９の外端部９ａに形成された折曲線５ａ、５ｂの間には高さ方向に所定間隔をあけて複数（本実施例では３個）の切抜孔１１が形成されている。
【００２１】
なお、この切抜孔１１は、後述する棚部材７を前屈させる際に、棚部材７の両側に形成された係止片２５の後端の突出係止片２６が出入りするための空所として機能するものである（図１(ｂ)又は図９参照）。従って、各側面部材３、３の高さ方向に形成した複数個の切抜孔１１は、棚部材７の係止片２５の突出係止片２６が出入りする高さに形成するものとする。
【００２２】
さらに、図３に示すように、側面部材３の内側面１０には、背面部材２に近い側に沿って高さ方向に所定間隔をあけて、水平切込線１２と円弧形切込線１３とを所定間隔をあけて複数（本実施例では３箇所）に連続形成してなる円弧形切込面１４が形成されている。このような構成において、水平切込線１２と円弧形切込線１３との間に縦方向に形成された折曲線（本実施例では「外側折曲線６ａ」と云う）は、円弧形切込面１４の端部に形成された縦方向の折曲線（本実施例では「内側折曲線６ｂ」と云う）よりも外端部１０ａに接近する位置で形成されている。
【００２３】
なお、左右の側面部材３、３においては、図１０に示すように、各側面部材３、３の前側上部に傾斜辺１５を形成している。そのため、図２または図３に示すように、各側面部材３の展開形状においても、中央の幅部８の折曲線４ａ、４ｂの上部に傾斜辺１５を形成すると共に、傾斜辺１５に対接する位置に傾斜折曲片１０ｃが形成されている。
【００２４】
このような構成において、各側面部材３を組み立てる際には、外側面９と内側面１０とを中央の折曲線４ａ、４ｂで折り曲げて、外側面９の外端部９ａと内側面１０の外端部１０ａとを合致して接着剤Ｂで固定する。また、側面部材３の上部の傾斜折曲片１０ｃを折曲線１０ｅで折り曲げた後、接着剤Ｂで接着する。さらに、内側面１０の上端に形成した上端折曲片１０ｂを折曲線１０ｄで折り曲げて接着剤Ｂで外側面９の上端に接着する。
【００２５】
一方、背面部材２は、図３に示すように、段ボール製等から形成した全体が縦長の長方形状に形成され、その内面には高さ方向に所定間隔をあけて水平状に形成された複数（本実施例では３個）の切込線１６が形成され、各切込線１６に後述する棚部材７の差込片２２を差し込んで係止するようにしている。
【００２６】
さらに、背面部材２の両側の側部には高さ方向に間隔をあけて凹部１７ａが形成されている。夫々の凹部１７ａは、上記の側面部材３の水平切込線１２と円弧形切込線１３との間の内側折曲線６ｂを対接するように凹形状に形成され、背面部材２の外側辺１７ｂに対して、側面部材３の幅部８の厚さと略同様の幅を有して形成されている。
【００２７】
なお、この背面部材２の上端には折返部２ａが形成され、この折返部２ａの折曲線２ｂで折返して接着剤Ｂで背面部材２の上端に固定することにより、背面部材２の上部を補強すると共に、良好な外観に見えるようにしている。
【００２８】
このような背面部材２の両側に沿って、上記の左右の側面部材３、３を取り付けるには、図２に示すように、背面部材２の両側に配置した各側面部材３、３を中央の２本の折曲線４ａ、４ｂで折り曲げて外側面９と内側面１０とを対面した状態にして固定する。このような構成によって、図４に示すように、背面部材２の両側に左右の側面部材３、３が固定されると共に、各側面部材３、３が外側折曲線６ａと内側折曲線６ｂとからなる折曲線によって折り曲げ自在に形成された構成となる。
【００２９】
このような構成についてより詳細に述べると、図４のＡ−Ａ線断面図である図５（ａ）(ｂ)と図４のＢ−Ｂ線断面図である図５(ｃ)(ｄ)に示すように、各側面部材３を中央の２本の折曲線４ａ、４ｂで折り曲げることにより、内側面９と外側面１０とを幅部８を介して対面した状態にし、側面部材３の両端部の２本の折曲線５ａ、５ｂ、６ａ、６ｂを互いに合致した状態にして接着剤Ｂで接合する。この状態で、側面部材３の端部を背面部材２の端部の裏面に接着剤Ｂで接着すると、図５（ａ）(ｃ)に示すように各側面部材３を背面部材２に沿って展開状態にした状態から、図５(ｂ)(ｄ)に示すように各側面部材３を前方へ垂直に折り曲げた状態にすることが可能となる。
【００３０】
このとき、外側折曲線６ａと内側折曲線６ｂの形成位置の違いによって、図５(ｂ)(ｄ)に示すように、水平切込線１２と円弧形切込線１３とからなる円弧形切込面１４が外側面９の内側に接触するように押し込まれた状態となり、水平切込線１２の内側に隙間１８が生じる。
【００３１】
一方、各棚部材７は、図６又は図7に示すように、互いに合致される矩形形状の上側底面１９と下側底面２０とが折曲線２１を介して形成されると共に、折曲線２１の内方にて下側底面２０側に差込片２２が切込線２２ａで形成される。この差込片２２が、背面部材２の高さ方向に所定間隔をあけて水平状に形成された切込線１６に差し込まれて接着剤Ｂで固定される一方、背面部材２への取付け箇所にて前屈方向へ折り曲げ自在に取り付けられる。
【００３２】
また、各棚部材７の下側底面２０の前側端部には前側立上片２３が形成されると共に、前側立上片２３は折曲線２３ａを介して二つ折りに形成されたことにより、棚部材７の前側立上片２３の横幅方向の補強構造としても機能する。
【００３３】
また、前側立上片２３の上側底面１９側の両側部には三角形状の突出片２３ｂが形成されている。上側底面１９の両側の折曲線１９ａ、１９ａで側部立上片２４、２４を折り曲げて立ち上げる際に、前側立上片２３の両側の突出片２３ｂ、２３ｂを側部立上片２４、２４の端部に接着剤Ｂで接着すると共に、側部立上片２４、２４の各端部に形成した折曲線２４ａ、２４ａで平状に潰したように折り曲げ自在に形成する。さらに、各棚部材７において、下側底面２０の両側に下方へ折り曲げてなる係止片２５と各係止片２５の後端に突出係止片２６を形成する。
【００３４】
このような各棚部材７を組み立てるには、上側底面１９の両辺の折曲線１９ａ、１９ａで両側の側部立上片２４、２４を立ち上げると共に、前側立上片２３を折曲線２３ａで折り曲げて立ち上げ形成する。また、下側底面２０を折曲線２１で下方に折り曲げて、該下側底面２０を上側底面１９の下面に接着剤Ｂで接着する共に、両側の係止片２５、２５を折曲線２０ａ、２０ａで下方へ折り曲げることにより、棚部材７の両側に下方へ突出した係止片２５、２５を形成し、その各係止片２５、２５に突出係止片２６、２６を形成した構成とする。
【００３５】
上記の各構成部材を用いて本実施例の簡易組立て棚１を組み立てるには、図８に示すように、背面部材２の各切込線１６に各棚部材７の差込片２２を差し込んで、図１(ｂ)に示すように、差込片２２を下方へ折り曲げ、背面部材２の裏面側へ接着剤Ｂを用いて接着する。この際、各棚部材７は、側面部材２の側へ平状に潰した状態にしておくことによって、本実施例の簡易組立て棚１を薄厚の展開形状に保っておくことが可能となる。
【００３６】
また、図８に示すように、本実施例の簡易組立て棚１を展開形状にしたとき、両側の係止片２５、２５の突出係止片２６、２６を両側の側面部材３、３の内側面１０、１０の水平切込線１２、１２の内側に差し込んでおく。本実施例においては、このような展開形状で、簡易組立て棚１を薄厚に保った状態で、保管又は運送等を行うことが可能である。
【００３７】
さらに、上記のように構成されている本実施例の簡易組立て棚１を現場等で組み立てるには、まず、図８に示す展開状態を横に寝かした状態で、左右の側面部材３、３を前方へ垂直方向に起こす。このとき、図５（ａ）又は(ｃ)の展開状態において、側面部材３の内側面１０と同一の面を保っていた各円弧形切込面１４が、図５(ｂ)又は(ｄ)に示すように、両側の側面部材３、３を前方へ垂直方向に折り曲げることによって、外側面９の内面に接触する。また、この外側面９に押されて各円弧形切込面１４が、図８のように平状に展開していた棚部材７の各係止片２５を押圧し、該係止片２５を下側底面２０に対して下側垂直方向に屈曲する。このとき、上記のように各係止片２５の後端の突出係止片２６は各水平切込線１２の内側に差し込まれた状態にされているため、各係止片２５もまた各水平切込線１２の内側に差し込まれた状態を保つ。
【００３８】
この状態で両側の側面部材３、３を立ち上げると、図８に示すように、各棚部材７が自重で前傾を始める。このとき、上記のように各棚部材７の各係止片２５の突出係止片２６が側面部材３の水平切込線１２に係止される状態を保ち前傾する。そして、補助的に各棚部材７を手作業で水平状態に押し下げると、各棚部材７の各係止片２５の折曲線２０ａが水平切込線１２の上辺に係止される結果、各棚部材７が水平状態になる。従って、現場等においては、特に熟練した者でなくても、迅速且つ容易に組立作業を終えることが可能となる。また、組立て後の本実施例の簡易組立て棚を撤収する際にも、上記の作業を逆に行うだけで、もとの薄型で平状な展開形状に戻すことが可能である。
【００３９】
なお、図１０に示すように、組み立て後の左右の側面部材３、３の幅を固定するために、幅固定用部材２７の両端の折曲げ固定部２７ａ、２７ａを両面接着材等で固定することによって、本実施例による簡易組立て棚１の組立て後の形状を崩すことなく保持することが可能となる。
【実施例２】
【００４０】
本実施例は、各棚部材２８の後述する一部の構成が実施例１の棚部材７と相違するものであり、他の構造は実施例１と同様である。なお、本実施例の棚部材２８を示す図１１〜図１３において、実施例１と同様の部位には同様の符号を付してある。
【００４１】
本実施例の棚部材２８は、図１１に示すように、実施例１の棚部材７と同様に、互いに合致される矩形形状の上側底面１９と下側底面２０とが折曲線２１を介して折り曲げ自在に形成され、折曲線２１の内方に差込片２２が切込線２２ａによって形成されている。また、各棚部材２８の上側底面１９の前側端部には折曲線１９bを介して前側立上片２３が形成されている。
【００４２】
さらに、この前側立上片２３は上側底面１９の前端の折曲線１９bに対して平行な折曲線２３ａを介して内側部２３ｃと外側部２３ｄとに区分された構成で二つ折り可能とされている。なお、前側立上片２３が折曲線２３ａを介して二つ折りの状態にされた高さ方向の幅は、上側底面１９の両側に形成された側部立上片２４、２４の高さ方向の幅と略同様であってもよい。
【００４３】
このような構成において、図１１に示すように、上側底面１９の両側の側部立上片２４、２４の前端側には四角形状の突出片２９、２９が形成され、各突出片２９、２９には接着剤Ｂが付着されている。これらの突出片２９、２９を前側立上片２３の両端部に接着した状態（図１３(ｂ)参照）で、側部立上片２４、２４の前端付近に形成した傾斜状の折曲線２４ａ、２４ａで折り曲げた両側の側部立上片２４、２４と前側立上片２３とを平状に潰した状態にすることが可能となる（図１３(ｃ)参照）。
【００４４】
なお、実施例１では、図１２（ａ）に示すように、前側立上片２３の両側部に三角形状の突出片２３ｂを形成してあるため、両側の側部立上片２４、２４を折り曲げて立ち上げ、前側立上片２３の両側の突出片２３ｂ、２３ｂを各側部立上片２４、２４の端部に接着剤Ｂで接着する際、その接着面積が狭いために、接着強度に欠けることになる。
【００４５】
これに対して、図１２(ｂ)に示すように、本実施例では、両側の側部立上片２４、２４の前端側に四角形状の突出片２９、２９を形成することによって、実施例１の三角形状の突出片２３ｂよりは接着面積を広くとることができ、前側立上片２３の両端部に接着する際の接着強度を向上することが可能となる。
【００４６】
さらに、本実施例では、図１１に示すように、前側立上片２３を折曲線２３ａで二つ折り可能に構成すると共に、前側立上片２３の前端に折曲線３０ａを介して突出した折返片３０を形成している。
【００４７】
このような構成において、本実施例では、上記のように両側の側部立上片２４、２４の前端側に形成した四角形状の突出片２９、２９を前側立上片２３の両端部に接着剤Ｂで接着する。そして、前側立上片２３を二つ折りにして、両側の突出片２９、２９の間に折返片３０を介在させた状態で前側立上片２３の内側部２３ｃの接着剤Ｂと外側部２３dの接着剤Ｂとで接着することが可能とされている。
【００４８】
このような構成により、両側の側部立上片２４、２４の前端側に形成した四角形状の突出片２９、２９を前側立上片２３の両端部に接着剤Ｂで接着した際、四角形状の突出片２９、２９の厚さの分だけ段差ができた状態となるが、前側立上片２３を二つ折りにした状態で両側の突出片２９、２９の間に折返片３０を介在させることによって、その両側の四角形状の突出片２９、２９の厚さを均等に埋めることができ、外観上の見栄えを良好に保つことが可能となる。
【００４９】
上記の本実施例の棚部材２８を組み立てる作業は、図１３(ａ)に示すように、前側立上片２３を折曲線１９bで折り返すと共に、折返片３０を折曲線３０ａで折り返して前側立上片２３の上面に重ねる。次いで、図１３(ｂ)に示すように、両側の側部立上片２４、２４の傾斜状の折曲線２４ａ、２４ａで突出片２９、２９を内側に折り曲げて、各突出片２９、２９を前側立上片２３の両端部に接着する。
【００５０】
さらに、図１３(c)に示すように、前側立上片２３を折曲線２３ａで折り曲げて、両側の突出片２９、２９の間に折返片３０を介在させた状態で前側立上片２３の内側部２３ｃと外側部２３ｄとを互いに接着する。この状態では、両側の側部立上片２４、２４と前側立上片２３とを平状に潰した状態にすることが可能である。
【００５１】
次いで、図１３(ｄ)に示すように、二つ折りの前側立上片２３を起立することによって、両側の側部立上片２４、２４を立ち上げた状態にする。そして、差込片２２を下方に折り曲げる一方、両側の係止片２５、２５を折曲線２０ａ、２０ａで下方へ折り曲げることにより、実施例１の棚部材７と同様に、棚部材２８の両側に下方へ突出した係止片２５、２５を形成し、その各係止片２５、２５の後方に突出係止片２６、２６を形成した構成とすることが可能となる。
【産業上の利用可能性】
【００５２】
本発明の簡易組立て棚は、商店等に商品を陳列する際に使用する簡易組立て棚であり、運搬又は保管をする際には薄型の展開形状にすることができ、組み立ての際には両側板を前方に垂直に起こす動作によって複数の棚も起こされるという非常に簡易な操作で組み立てることができる簡易組立て棚として利用可能である。
【符号の説明】
【００５３】
１  簡易組立て棚
２  背面部材
２ａ  折返部
２ｂ  折曲線
３  側面部材
４ａ、４ｂ  折曲線
５ａ、５ｂ  折曲線
６ａ  外側折曲線
６ｂ  内側折曲線
７  棚部材
８  幅部
９  外側面
９ａ  外側面の外端部
１０  内側面
１０ａ  内側面の外端部
１０ｂ  上端折曲片
１０ｃ  傾斜折曲片
１０ｄ  折曲線
１０ｅ  折曲線
１１  切抜孔
１２  水平切込線
１３  円弧形切込線
１４  円弧形切込面
１５  傾斜辺
１６  切込線
１７ａ  凹部
１７ｂ  外側辺
１８  隙間
１９  上側底面
１９ａ  折曲線
１９ｂ  折曲線
２０  下側底面
２０ａ  折曲線
２１  折曲線
２２  差込片
２２ａ  切込線
２３  前側立上片
２３ａ  折曲線
２３ｂ  突出片
２３ｃ  内側部
２３ｄ  外側部
２４  側部立上片
２４ａ  折曲線
２４ｂ  折曲線
２５  係止片
２６  突出係止片
２７  幅固定用部材
２７ａ  折曲げ固定部
２８  棚部材
２９  突出片
３０  折返片
３０ａ  折曲線
Ｂ  接着剤
【図１】
2013172949.tif 000003
【図２】
2013172949.tif 000004
【図３】
2013172949.tif 000005
【図４】
2013172949.tif 000006
【図５】
2013172949.tif 000007
【図６】
2013172949.tif 000008
【図７】
2013172949.tif 000009
【図８】
2013172949.tif 000010
【図９】
2013172949.tif 000011
【図１０】
2013172949.tif 000012
【図１１】
2013172949.tif 000013
【図１２】
2013172949.tif 000014
【図１３】
2013172949.tif 000015